(57)【要約】【課題】ネジの締付トルクが規定トルクに達したことを分かり易くすることで、ネジの締め付け過ぎによる部品の破損を抑制する。【解決手段】電子装置１０は、筐体１２と、ネジ穴４２と、扉２８と、ネジ７０と、第一角部４６と、第二角部６６とを備える。ネジ穴４２は、筐体１２に設けられており、扉２８は、筐体１２に開閉可能に支持されている。ネジ７０は、ネジ穴４２に螺入され、扉２８を閉じた状態に固定する。第一角部４６は、筐体１２に設けられており、第二角部６６は、扉２８に設けられている。第二角部６６は、扉２８が閉じられてネジ７０がネジ穴４２に螺入された状態では、ネジ７０の軸方向に第一角部４６と当接する。また、第二角部６６は、ネジ７０がネジ穴４２にさらに螺入されてネジ７０の締付トルクが規定トルクに達した場合には、第一角部４６を乗り越える。【選択図】図１
2019197776.tif 000002
【特許請求の範囲】
【請求項１】
筐体と、
前記筐体に設けられたネジ穴と、
前記筐体に開閉可能に支持された扉と、
前記ネジ穴に螺入され、前記扉を閉じた状態に固定するネジと、
前記筐体に設けられた第一角部と、
前記扉に設けられ、前記扉が閉じられて前記ネジが前記ネジ穴に螺入された状態で前記ネジの軸方向に前記第一角部と当接し、前記ネジが前記ネジ穴にさらに螺入されて前記ネジの締付トルクが規定トルクに達した場合に、前記第一角部を乗り越える第二角部と、
を備える電子装置。
【請求項２】
前記第一角部は、
前記ネジの軸方向と垂直な第一当接面と、
前記ネジの軸方向に沿って延びる第一逃げ面と、
を有し、
前記第二角部は、
前記ネジの軸方向と垂直な第二当接面と、
前記ネジの軸方向に沿って延びる第二逃げ面と、
を有し、
前記第二逃げ面は、前記扉が閉じられて前記ネジが前記ネジ穴に螺入された状態では、前記第一逃げ面に対して前記ネジの締付時における回転方向の前側に位置する、
請求項１に記載の電子装置。
【請求項３】
前記第一当接面と前記第一逃げ面との間の第一稜線部は、前記ネジの側方から見て前記ネジの中心軸線上に位置する、
請求項２に記載の電子装置。
【請求項４】
前記筐体は、前記ネジ穴が設けられた第一ボスを有し、
前記扉は、前記ネジが挿入される貫通穴が形成された第二ボスを有し、
前記第一角部は、前記第一ボスに形成され、
前記第二角部は、前記第二ボスに形成されている、
請求項１〜請求項３のいずれか一項に記載の電子装置。
【請求項５】
前記第一ボスの天面には、突起部が形成され、
前記第二ボスの外周面には、前記第二ボスの軸方向に沿って延びるリブが形成され、
前記第一角部は、前記突起部に形成され、
前記第二角部は、前記リブに形成されている、
請求項４に記載の電子装置。
【発明の詳細な説明】
【技術分野】
【０００１】
本願の開示する技術は、電子装置に関する。
【背景技術】
【０００２】
電子装置としては、筐体と、筐体に設けられたネジ穴と、筐体に開閉可能に支持された扉と、ネジ穴に螺入され、扉を閉じた状態に固定するネジとを備えるものがある（例えば、特許文献１参照）。
【０００３】
ところで、このような電子装置では、ネジの締付トルクが大きいと、例えば、ネジの破断やネジ穴の損傷など部品の破損が発生する虞がある。したがって、部品の破損を抑制するためには、ネジの締付を行う使用者にネジの締付トルクが規定トルクに達したことを知らせることが有効であると考えられる。
【０００４】
ここで、使用者にネジの締付トルクが規定トルクに達したことを知らせる技術としては、例えば、次のものがある（例えば、特許文献２参照）。すなわち、例示の技術は、先端にネジを有する第一の管体と、先端にネジ穴を有する第二の管体と、第一の管体における第二の管体との当接面に形成された複数の凹状の係合部と、第二の管体における第一の管体との当接面に形成された複数の凸状の突部とを備える。
【０００５】
この例示の技術では、ネジがネジ穴に螺入され、ネジの締付が完了に近づくと、複数の突部が複数の係合部に係合された状態と、複数の突部が複数の係合部から退出された状態とが繰り返されることによりネジの締付トルクが変動する。そして、このようにネジの締付トルクが変動することにより、使用者にネジの締付が完了間近であることを知らせることができるとしている。
【０００６】
また、この例示の技術では、第一の管体及び第二の管体の互いの当接面が当接すると、ネジの締付トルクが最大になる。そして、このようにネジの締付トルクが変動した後にネジの締付トルクが最大になることにより、使用者にネジの締付が完了したことを知らせることができるとしている。
【先行技術文献】
【特許文献】
【０００７】
【特許文献１】特開２００９−２７７７４４号公報
【特許文献２】特開昭６４−６５３８３号公報
【発明の概要】
【発明が解決しようとする課題】
【０００８】
しかしながら、上述のように、ネジの締付トルクが最大になることで、使用者にネジの締付が完了したことを知らせる技術では、結局のところ、どのタイミングでネジの締付が完了したのか（つまり、ネジの締付トルクが規定トルクに達したのか）が分かりにくい。
【０００９】
本願の開示する技術は、上記事情を鑑み、ネジの締付トルクが規定トルクに達したことを分かり易くすることで、ネジの締め付け過ぎによる部品の破損を抑制できる電子装置を提供することを目的とする。
【課題を解決するための手段】
【００１０】
上記目的を達成するために、本願の開示する技術によれば、筐体と、ネジ穴と、扉と、ネジと、第一角部と、第二角部とを備える電子装置が提供される。ネジ穴は、筐体に設けられており、扉は、筐体に開閉可能に支持されている。ネジは、ネジ穴に螺入され、扉を閉じた状態に固定する。第一角部は、筐体に設けられており、第二角部は、扉に設けられている。第二角部は、扉が閉じられてネジがネジ穴に螺入された状態では、ネジの軸方向に第一角部と当接する。また、第二角部は、ネジがネジ穴にさらに螺入されてネジの締付トルクが規定トルクに達した場合には、第一角部を乗り越える。
【発明の効果】
【００１１】
本願の開示する技術によれば、ネジの締付トルクが規定トルクに達したことを分かり易くすることで、ネジの締め付け過ぎによる部品の破損を抑制できる。
【図面の簡単な説明】
【００１２】
【図１】本実施形態に係る電子装置の斜視図である。
【図２】図１の電子装置における扉の周辺部の拡大図である。
【図３】図２の扉が閉じられた状態を示す図である。
【図４】図３のベース部材、扉、及び、ネジを組み付けた状態を示す正面図である。
【図５】図４のベース部材、扉、及び、ネジの分解斜視図である。
【図６】図５のネジの締付トルクが規定トルクに達する前の状態を示す正面図である。
【図７】図５のネジの締付トルクが規定トルクに達する前の状態を示す側面図である。
【図８】図５のネジの締付トルクが規定トルクに達した状態を示す正面図である。
【図９】図５のネジの締付トルクが規定トルクに達した状態を示す側面図である。
【発明を実施するための形態】
【００１３】
以下、本願の開示する技術の一実施形態について説明する。
【００１４】
図１に示される本実施形態に係る電子装置１０は、一例として、車両に搭載される車載型電子装置である。このような車載型電子装置としては、例えば、デジタルタコグラフ、ネットワーク型デジタルタコグラフ、車載情報システム、ドライブレコーダ、ネットワーク型車載ステーション等がある。なお、各図に示される矢印ＦＲ、矢印ＬＨ、矢印ＵＰは、電子装置１０の前後方向前側、左右方向左側、上下方向上側をそれぞれ示している。
【００１５】
電子装置１０は、概略直方体状の筐体１２を備える。筐体１２の前面１２Ａには、複数のスイッチ１４、１５や表示器１６等が設けられている。また、筐体１２の前面１２Ａの左側には、記録媒体保持構造１８が設けられている。図２に示されるように、記録媒体保持構造１８は、記録媒体２０を保持するためのものであり、凹部２２と、スロット２４と、ベース部材２６と、扉２８とを有する。
【００１６】
凹部２２は、筐体１２の前面１２Ａに開口している。凹部２２の底面２２Ａは、筐体１２の前面１２Ａに対して電子装置１０の後側にオフセットされている。スロット２４は、凹部２２の底面２２Ａに開口している。このスロット２４は、電子装置１０の上下方向に延びる矩形状に形成されている。このスロット２４には、カード型の記録媒体２０が挿入される。記録媒体２０は、例えば、ＳＤ（Secure Digital）カードである。
【００１７】
ベース部材２６は、スロット２４に隣接して配置されている。このベース部材２６は、凹部２２の内側に収容されている。ベース部材２６は、筐体１２の一部である。扉２８は、ベース部材２６に開閉可能に支持されている。この扉２８は、凹部２２の開口を塞ぐ大きさ及び形状を有している。図２には、扉２８が開かれた状態が示されており、図３には、扉２８が閉じられた状態が示されている。扉２８は、後述するネジ７０によって締め付けられることにより閉じた状態で筐体１２に固定される。
【００１８】
図２（図３〜図５も適宜参照）に示されるように、ベース部材２６は、電子装置１０の上下方向を長手方向とする長方形状の本体部３２と、本体部３２の長手方向の両端部に形成された一対の支持部３４とを有する。本体部３２は、凹部２２の底面２２Ａに固定されている。一対の支持部３４は、本体部３２から電子装置１０の前側に向けて延びている。支持部３４は、電子装置１０の上下方向を板厚方向として形成されている。この支持部３４には、支持部３４の板厚方向に貫通する支持穴３６（図５参照）が形成されている。
【００１９】
本体部３２には、電子装置１０の前側に向けて突出する円筒状の第一ボス３８が形成されている。第一ボス３８は、電子装置１０の前後方向を軸方向として形成されている。この第一ボス３８の内側には、ナット４０が設けられている。ナット４０は、例えば、インサートナットである。このナット４０は、第一ボス３８と同心円状に配置されている。ナット４０には、ナット４０の軸方向に貫通するネジ穴４２が形成されている。
【００２０】
第一ボス３８は、天面３８Ａを有する。この第一ボス３８の天面３８Ａには、第一ボス３８の側方から見て矩形状を成す突起部４４が形成されている。突起部４４は、第一ボス３８の一部である。この突起部４４は、第一ボス３８の天面３８Ａから電子装置１０の前側に向けて突出している。突起部４４は、第一ボス３８の周方向を長さ方向として形成されており、第一ボス３８の周方向の一部に形成されている。この突起部４４は、第一ボス３８の周方向に沿って形成されており、第一ボス３８の軸方向から見て円弧状を成している。突起部４４の長さ方向の一端部には、第一角部４６が形成されている。この第一角部４６については、後に詳述する。
【００２１】
扉２８は、前方から見て概略長方形状に形成されており、ベース部材２６の本体部３２と同様に、電子装置１０の上下方向を長手方向として配置されている。扉２８の長手方向の両端部には、電子装置１０の上下方向に延びる軸部５６（図５参照）がそれぞれ形成されている。軸部５６は、支持穴３６に挿入され、これにより、扉２８は、ベース部材２６に開閉可能に支持される。
【００２２】
扉２８の裏面２８Ａは、扉２８が閉じられた状態で凹部２２の底面２２Ａと対向する。この裏面２８Ａには、扉２８の裏側に突出する第二ボス５８が形成されている。この第二ボス５８は、扉２８が閉じられた状態で第一ボス３８と同軸上に配置される。第二ボス５８には、後述するネジ７０が挿入される貫通穴６２が形成されている。この貫通穴６２は、第二ボス５８の軸方向（扉２８の厚さ方向）に貫通している。
【００２３】
第二ボス５８は、天面５８Ａ及び外周面５８Ｂを有する。第二ボス５８の外周面５８Ｂには、リブ６４が形成されている。リブ６４は、第二ボス５８の一部である。このリブ６４は、扉２８の裏面２８Ａから第二ボス５８の軸方向に沿って延びている。扉２８の裏面２８Ａを高さの基準にした場合に、リブ６４の高さは、第二ボス５８の高さよりも低くなっている。リブ６４の高さ方向の端部には、第二角部６６が形成されている。この第二角部６６については、後に詳述する。
【００２４】
ネジ７０（図５参照）は、軸部７２及び頭部７４を有する。このネジ７０には、一例として、右ネジが使用されている。軸部７２は、貫通穴６２に挿入されることで、扉２８を貫通し、扉２８が閉じられた状態でネジ穴４２に螺入される。頭部７４は、貫通穴６２よりも大径に形成されている。
【００２５】
ネジ７０は、一例として、専用の手動工具によって回転される。頭部７４は、手動工具に対応する形状を有している。頭部７４に手動工具が装着されてネジ７０の軸部７２がネジ穴４２に螺入されると、頭部７４が貫通穴６２の周辺部を締め付けることにより、扉２８が閉じた状態で筐体１２に固定され、扉２８の開放が規制される。
【００２６】
次に、ネジ７０によって扉２８を閉じた状態に固定する方法と併せて電子装置１０のさらに詳細な構造について説明する。
【００２７】
図６、図７には、ネジ７０の締付トルクが規定トルクに達する前の状態が示されている。図６に示されるように、扉２８の開閉軸線Ｌ１は、電子装置１０（図１〜図３参照）の上下方向、すなわち、鉛直方向に沿って延びており、扉２８は、開閉軸線Ｌ１を中心に開閉する。ネジ７０及びネジ穴４２の中心と、第一角部４６と、第二角部６６とは、扉２８の前方から見て扉２８の開閉軸線Ｌ１よりも扉２８の開閉端２８Ｂ側に位置する。
【００２８】
また、第一角部４６及び第二角部６６は、それぞれ第一ボス３８及び第二ボス５８に形成されることにより、ベース部材２６の本体部３２と扉２８との間に位置する。つまり、この第一角部４６及び第二角部６６は、扉２８の軸部５６よりも本体部３２側に位置する。
【００２９】
リブ６４は、第二ボス５８の外周面５８Ｂから水平方向に突出している。リブ６４の水平方向に沿う中心軸線Ｌ２（図７参照）は、ネジ７０の側方から見てネジ７０の中心軸線Ｌ３よりも鉛直方向の上側に位置する。
【００３０】
第一角部４６は、より具体的には、ネジ７０の軸方向と垂直な第一当接面４６Ａと、ネジ７０の軸方向に沿って延びる第一逃げ面４６Ｂとを有する。第一当接面４６Ａと第一逃げ面４６Ｂとの間には、第一稜線部４６Ｃが形成されており、この第一稜線部４６Ｃは、ネジ７０の側方から見てネジ７０の中心軸線Ｌ３上に位置する。
【００３１】
第二角部６６は、より具体的には、ネジ７０の軸方向と垂直な第二当接面６６Ａと、ネジ７０の軸方向に沿って延びる第二逃げ面６６Ｂとを有する。第二角部６６は、第一角部４６と逆向きに形成されている。つまり、第一角部４６の第一当接面４６Ａは、第一逃げ面４６Ｂに対してネジ７０の周方向の一方側（矢印Ｒ１側）に位置するのに対し、第二角部６６の第二当接面６６Ａは、第二逃げ面６６Ｂに対してネジ７０の周方向の他方側（矢印Ｒ２側）に位置する。第二当接面６６Ａと第二逃げ面６６Ｂとの間には、第二稜線部６６Ｃが形成されており、この第二稜線部６６Ｃは、ネジ７０の側方から見てネジ７０の中心軸線Ｌ３から外れた位置にある。
【００３２】
図６に示されるように、第二逃げ面６６Ｂは、扉２８が閉じられてネジ７０がネジ穴４２に螺入された状態では、第一逃げ面４６Ｂに対してネジ７０の締付時における回転方向の前側（矢印Ｒ１側）に位置する。すなわち、この場合、第二逃げ面６６Ｂは、第一逃げ面４６Ｂよりも鉛直方向の下側に位置する。また、図７に示されるように、この状態では、第二ボス５８の天面５８Ａが第一ボス３８の天面３８Ａと当接し、第二当接面６６Ａがネジ７０の軸方向に第一当接面４６Ａと当接する。
【００３３】
図８、図９には、図６、図７よりもネジ７０がネジ穴４２にさらに螺入されてネジ７０の締付トルクが規定トルクに達した状態が示されている。図８、図９に示されるように、ネジ７０の締付トルクが規定トルクに達すると、第二ボス５８の天面５８Ａが第一ボス３８の天面３８Ａと当接した状態で、第一ボス３８及び第二ボス５８がネジ７０の軸方向に圧縮変形する。また、このときには、突起部４４及びリブ６４がネジ７０の周方向にそれぞれ弾性変形する。そして、これにより、第二角部６６が第一角部４６を乗り越える。
【００３４】
このとき、より具体的には、第二当接面６６Ａが第一当接面４６Ａを乗り越えて第二逃げ面６６Ｂが第一逃げ面４６Ｂと当接する。このように、第二角部６６が第一角部４６を乗り越えるときには、クリック感が発生し、これにより、ネジ７０の締付を行う使用者にネジ７０の締付トルクが規定トルクに達したことが知らされる。
【００３５】
なお、上述の規定トルクは、扉２８のがたつき及び部品の破損が生じない範囲で許容される最大トルクに設定される。
【００３６】
次に、本実施形態の作用及び効果について説明する。
【００３７】
以上詳述したように、本実施形態に係る電子装置１０では、筐体１２のベース部材２６に形成された第一ボス３８には、第一角部４６が形成されており、扉２８に形成された第二ボス５８には、第二角部６６が形成されている。そして、図６、図７に示されるように、扉２８が閉じられてネジ７０がネジ穴４２に螺入された状態では、第二角部６６がネジ７０の軸方向に第一角部４６と当接する。
【００３８】
また、図８、図９に示されるように、ネジ７０がネジ穴４２にさらに螺入されてネジ７０の締付トルクが規定トルクに達した場合には、第二角部６６が第一角部４６を乗り越え、この際にクリック感が発生する。したがって、このクリック感の発生により、ネジ７０の締付を行う使用者にネジ７０の締付トルクが規定トルクに達したことを知らせることができる。これにより、ネジ７０の締付トルクが規定トルクに達したことが分かり易いので、ネジ７０の締め付け過ぎによる部品の破損を抑制することができる。
【００３９】
また、本実施形態に係る電子装置１０では、図６に示されるように、扉２８が閉じられてネジ７０がネジ穴４２に螺入された状態では、第二逃げ面６６Ｂが第一逃げ面４６Ｂに対してネジ７０の締付時における回転方向の前側（矢印Ｒ１側）に位置する。したがって、ネジ７０の締付時にネジ７０と共に扉２８が連れ回りした場合でも、図７に示されるように、第二逃げ面６６Ｂが第一逃げ面４６Ｂに対してネジ７０の回転方向の前側（矢印Ｒ１側）に位置した状態に維持される。これにより、図７に示されるように、扉２８が閉じられてネジ７０がネジ穴４２に螺入された状態では、第二当接面６６Ａを第一当接面４６Ａと的確に当接させることができる。
【００４０】
また、本実施形態に係る電子装置１０では、第一当接面４６Ａと第一逃げ面４６Ｂとの間に、第一稜線部４６Ｃが形成されており、この第一稜線部４６Ｃは、ネジ７０の側方から見てネジ７０の中心軸線Ｌ３上に位置する。したがって、図８、図９に示されるように、ネジ７０がネジ穴４２にさらに螺入される際には、第一稜線部４６Ｃの位置にずれが生じることを抑制できるので、第二角部６６が第一角部４６を乗り越える際には、良好なクリック感を発生させることができる。
【００４１】
また、本実施形態に係る電子装置１０では、図６、図７に示されるように、扉２８が閉じられてネジ７０がネジ穴４２に螺入された状態では、第二当接面６６Ａがネジ７０の軸方向に第一当接面４６Ａと当接する。また、このときには、第一ボス３８の天面３８Ａが第二ボス５８の天面５８Ａに当接する。したがって、この状態からネジ７０がネジ穴４２にさらに螺入されても、第一ボス３８の天面３８Ａが第二ボス５８の天面５８Ａに当接することで、扉２８の撓みを抑制することができる。
【００４２】
また、本実施形態に係る電子装置１０では、筐体１２に設けられたベース部材２６に、ネジ穴４２を有するナット４０が設けられた第一ボス３８が形成され、扉２８には、ネジ７０が挿入される貫通穴６２が形成された第二ボス５８が形成されている。そして、第一角部４６は、第一ボス３８に形成され、第二角部６６は、第二ボス５８に形成されている。つまり、第一角部４６及び第二角部６６は、剛性が高くネジ７０及びネジ穴４２と同軸上にある第一ボス３８及び第二ボス５８にそれぞれ形成されている。したがって、第二角部６６が第一角部４６を乗り越える際には、第一角部４６と第二角部６６との間に強い反発力を生じさせることができるので、より一層良好なクリック感を発生させることができる。
【００４３】
しかも、第一ボス３８の天面３８Ａには、突起部４４が形成され、第二ボス５８の外周面５８Ｂには、第二ボス５８の軸方向に沿って延びるリブ６４が形成されている。そして、第一角部４６は、より具体的には、突起部４４に形成され、第二角部６６は、リブ６４に形成されている。したがって、第二角部６６が第一角部４６を乗り越える際には、剛性の高い第一ボス３８及び第二ボス５８にそれぞれ形成された突起部４４及びリブ６４の局所的な弾性変形を伴うので、このことによっても、より一層良好なクリック感を発生させることができる。
【００４４】
次に、本実施形態の変形例について説明する。
【００４５】
上記実施形態において、扉２８及びベース部材２６は、一例として、ＳＤカードのスロット２４を開閉する用途に使用されているが、それ以外の用途に使用されても良い。
【００４６】
また、上記実施形態において、記録媒体２０は、一例として、ＳＤカードであるが、ＳＤカード以外でも良い。
【００４７】
また、上記実施形態において、電子装置１０は、一例として、車両に搭載される車載型電子装置であるが、車載型電子装置以外でも良い。
【００４８】
また、上記実施形態において、第二逃げ面６６Ｂは、好ましくは、扉２８が閉じられてネジ７０がネジ穴４２に螺入された状態では、第一逃げ面４６Ｂに対してネジ７０の締付時における回転方向の前側（矢印Ｒ１側）に位置する。しかしながら、第二逃げ面６６Ｂは、扉２８が閉じられてネジ７０がネジ穴４２に螺入された状態では、第一逃げ面４６Ｂに対してネジ７０の締付時における回転方向の後側（矢印Ｒ２側）に位置していても良い。
【００４９】
また、上記実施形態において、第一当接面４６Ａと第一逃げ面４６Ｂとの間の第一稜線部４６Ｃは、好ましくは、ネジ７０の側方から見てネジ７０の中心軸線Ｌ３上に位置する。しかしながら、第一当接面４６Ａと第一逃げ面４６Ｂとの間の第一稜線部４６Ｃは、ネジ７０の側方から見てネジ７０の中心軸線Ｌ３から外れた位置にあっても良い。
【００５０】
また、上記実施形態において、第一角部４６は、好ましくは、第一ボス３８に形成され、第二角部６６は、第二ボス５８に形成される。しかしながら、第一角部４６は、ベース部材２６における第一ボス３８以外の部位に形成され、第二角部６６は、扉２８における第二ボス５８以外の部位に形成されても良い。
【００５１】
また、上記実施形態において、好ましくは、第一ボス３８の天面３８Ａには、突起部４４が形成され、第二ボス５８の外周面５８Ｂには、第二ボス５８の軸方向に沿って延びるリブ６４が形成される。そして、第一角部４６は、突起部４４に形成され、第二角部６６は、リブ６４に形成される。しかしながら、第一角部４６は、第一ボス３８における突起部４４以外の部位に形成され、第二角部６６は、第二ボス５８におけるリブ６４以外の部位に形成されても良い。
【００５２】
また、上記実施形態において、扉２８の開閉軸線Ｌ１は、鉛直方向に沿って延び、扉２８は、水平方向に開閉されるが、扉２８の開閉軸線Ｌ１は、水平方向に沿って延び、扉２８は、鉛直方向に開閉されても良い。
【００５３】
また、上記実施形態において、扉２８が閉じられてネジ７０がネジ穴４２に螺入されると、第二ボス５８の天面５８Ａが第一ボス３８の天面３８Ａと当接した状態で、第二当接面６６Ａがネジ７０の軸方向に第一当接面４６Ａと当接する。しかしながら、扉２８が閉じられてネジ７０がネジ穴４２に螺入された場合に、第二ボス５８の天面５８Ａが第一ボス３８の天面３８Ａと離間した状態で、第二当接面６６Ａがネジ７０の軸方向に第一当接面４６Ａと当接しても良い。そして、ネジ７０の締付トルクが規定トルクに達した場合に、第二角部６６が第一角部４６を乗り越えても良い。また、この場合に、第二角部６６が第一角部４６を乗り越えた後に、第二ボス５８の天面５８Ａが第一ボス３８の天面３８Ａと当接しても良い。
【００５４】
また、上記複数の変形例のうち組み合わせ可能な変形例は、適宜、組み合わされても良い。
【００５５】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００５６】
なお、上述の本願の開示する技術の一実施形態に関し、更に以下の付記を開示する。
【００５７】
（付記１）
筐体と、
前記筐体に設けられたネジ穴と、
前記筐体に開閉可能に支持された扉と、
前記ネジ穴に螺入され、前記扉を閉じた状態に固定するネジと、
前記筐体に設けられた第一角部と、
前記扉に設けられ、前記扉が閉じられて前記ネジが前記ネジ穴に螺入された状態で前記ネジの軸方向に前記第一角部と当接し、前記ネジが前記ネジ穴にさらに螺入されて前記ネジの締付トルクが規定トルクに達した場合に、前記第一角部を乗り越える第二角部と、
を備える電子装置。
（付記２）
前記第一角部は、
前記ネジの軸方向と垂直な第一当接面と、
前記ネジの軸方向に沿って延びる第一逃げ面と、
を有する、
付記１に記載の電子装置。
（付記３）
前記第二角部は、
前記ネジの軸方向と垂直な第二当接面と、
前記ネジの軸方向に沿って延びる第二逃げ面と、
を有する、
付記２に記載の電子装置。
（付記４）
前記扉が閉じられて前記ネジが前記ネジ穴に螺入された状態では、前記第二当接面が前記ネジの軸方向に前記第一当接面と当接し、前記ネジが前記ネジ穴にさらに螺入されて前記ネジの締付トルクが規定トルクに達した場合には、前記第二当接面が前記第一当接面を乗り越えて前記第二逃げ面が前記第一逃げ面と当接する、
付記３に記載の電子装置。
（付記５）
前記第二逃げ面は、前記扉が閉じられて前記ネジが前記ネジ穴に螺入された状態では、前記第一逃げ面に対して前記ネジの締付時における回転方向の前側に位置する、
付記３又は付記４に記載の電子装置。
（付記６）
前記第一当接面と前記第一逃げ面との間の第一稜線部は、前記ネジの側方から見て前記ネジの中心軸線上に位置する、
付記３〜付記５のいずれか一項に記載の電子装置。
（付記７）
前記第二当接面と前記第二逃げ面との間の第二稜線部は、前記ネジの側方から見て前記ネジの中心軸線から外れた位置にある、
付記６に記載の電子装置。
（付記８）
前記筐体は、前記ネジ穴が設けられた第一ボスを有し、
前記扉は、前記ネジが挿入される貫通穴が形成された第二ボスを有し、
前記第一角部は、前記第一ボスに形成され、
前記第二角部は、前記第二ボスに形成されている、
付記３〜付記７のいずれか一項に記載の電子装置。
（付記９）
前記第一ボスの天面には、突起部が形成され、
前記第二ボスの外周面には、前記第二ボスの軸方向に沿って延びるリブが形成され、
前記第一角部は、前記突起部に形成され、
前記第二角部は、前記リブに形成されている、
付記８に記載の電子装置。
（付記１０）
前記扉が閉じられて前記ネジが前記ネジ穴に螺入された状態では、前記第二当接面が前記ネジの軸方向に前記第一当接面と当接すると共に、前記第一ボスの天面が前記第二ボスの天面に当接する、
付記９に記載の電子装置。
（付記１１）
前記扉の開閉軸線は、鉛直方向に沿って延びており、
前記リブは、前記第二ボスの外周面から水平方向に突出している、
付記１０に記載の電子装置。
（付記１２）
前記リブの水平方向に沿う中心軸線は、前記ネジの側方から見て前記ネジの中心軸線よりも鉛直方向の上側に位置する、
付記１１に記載の電子装置。
（付記１３）
前記第二逃げ面は、前記扉が閉じられて前記ネジが前記ネジ穴に螺入された状態では、前記第一逃げ面よりも鉛直方向の下側に位置する、
付記１２に記載の電子装置。
（付記１４）
前記ネジ及び前記ネジ穴の中心と、前記第一角部と、前記第二角部とは、前記扉の前方から見て前記扉の開閉軸線よりも前記扉の開閉端側に位置する、
付記１〜付記１３のいずれか一項に記載の電子装置。
【符号の説明】
【００５８】
１０  電子装置
１２  筐体
２６  ベース部材
２８  扉
３８  第一ボス
３８Ａ  天面
４０  ナット
４２  ネジ穴
４４  突起部
４６  第一角部
４６Ａ  第一当接面
４６Ｂ  第一逃げ面
４６Ｃ  第一稜線部
５８  第二ボス
５８Ａ  天面
５８Ｂ  外周面
６２  貫通穴
６４  リブ
６６  第二角部
６６Ａ  第二当接面
６６Ｂ  第二逃げ面
６６Ｃ  第二稜線部
７０  ネジ
Ｌ１  扉の開閉軸線
Ｌ２  リブの中心軸線
Ｌ３  ネジの中心軸線
【図１】
2019197776.tif 000003
【図２】
2019197776.tif 000004
【図３】
2019197776.tif 000005
【図４】
2019197776.tif 000006
【図５】
2019197776.tif 000007
【図６】
2019197776.tif 000008
【図７】
2019197776.tif 000009
【図８】
2019197776.tif 000010
【図９】
2019197776.tif 000011